(57)【要約】【課題】  製造費が減少し、ディスプレイデバイスの拡張性が容易なマルチスクリーンディスプレイシステム及びその制御方法を提供する。【解決手段】  本発明によるマルチスクリーンディスプレイシステムはそれぞれの画面に表示されるイメージが一つの統合されたイメージを形成するように相互隣接するように配置される複数のディスプレイデバイスを含み、前記各ディスプレイデバイスは入力されるビデオ信号に対応するイメージのサイズ及びポジションを調節してイメージの少なくとも一領域を表示する。【選択図】      図３
2005078069.tif 000002
【特許請求の範囲】
【請求項１】
それぞれの画面に表示されるイメージが一つの統合されたイメージを形成するように相互隣接するように配置される複数のディスプレイデバイスを含み、
前記各ディスプレイデバイスは入力されるビデオ信号に対応するイメージのサイズ及びポジションを調節してイメージの少なくとも一領域を表示することを特徴とするマルチスクリーンディスプレイシステム。
【請求項２】
一つのイメージに対応するビデオ信号を受信して前記各ディスプレイデバイスに出力する信号分配器をさらに含むことを特徴とする、請求項１に記載のマルチスクリーンディスプレイシステム。
【請求項３】
前記各ディスプレイデバイスは、
イメージが表示されるディスプレイ部と、
前記信号分配器から入力されるビデオ信号を前記ディスプレイ部が処理可能なビデオ信号に変換する信号処理部と、
前記信号処理部が前記信号分配器から入力されるビデオ信号を予め設定されたサイズ変数及びポジション変数に基づいて変換するように制御する制御部とを含むことを特徴とする、請求項２に記載のマルチスクリーンディスプレイシステム。
【請求項４】
前記ディスプレイデバイスはＤＬＰ、ＬＣＤ及びＰＤＰのうちのいずれか一つを含むことを特徴とする、請求項２に記載のマルチスクリーンディスプレイシステム。
【請求項５】
前記信号分配器にビデオ信号を印加するコンピュータをさらに含むことを特徴とする、請求項２に記載のマルチスクリーンディスプレイシステム。
【請求項６】
前記コンピュータは前記各ディスプレイデバイスに表示されるイメージのサイズを調節するサイズ変数と、前記各ディスプレイデバイスに表示されるイメージのポジションを調節するポジション変数を設定可能に備えられることを特徴とする、請求項５に記載のマルチスクリーンディスプレイシステム。
【請求項７】
前記コンピュータはＲＳ−２３２Ｃインターフェース又は前記ＲＳ−４２２インターフェースを通じて前記各ディスプレイデバイスのサイズ変数及びポジション変数を設定することを特徴とする、請求項６に記載のマルチスクリーンディスプレイシステム。
【請求項８】
前記各ディスプレイデバイスは前記各ディスプレイデバイスに表示されるイメージのサイズを調節するサイズ変数と、前記各ディスプレイデバイスに表示されるイメージのポジションを調節するポジション変数を設定するためのＯＳＤインターフェースを提供するＯＳＤ発生部をさらに含むことを特徴とする、請求項２に記載のマルチスクリーンディスプレイシステム。
【請求項９】
前記ＯＳＤインターフェースは一つのイメージをＮ  Ｍ個のセルに区分して、前記Ｎ  Ｍ個のセルのうちのいずれか一つを選択して前記各ディスプレイデバイスのサイズ変数及びポジション変数を設定し、
前記各ディスプレイデバイスは前記信号分配器から入力されるビデオ信号に対応するイメージのうちの前記ＯＳＤインターフェースを通じて選択されたセルに対応する領域を表示することを特徴とする、請求項８に記載のマルチスクリーンディスプレイデバイス。
【請求項１０】
それぞれの画面に表示されるイメージが一つの統合されたイメージを形成するように相互隣接するように配置される複数のディスプレイデバイスを含むマルチスクリーンディスプレイシステムの制御方法において、
前記各ディスプレイデバイスの表示されるイメージのサイズを調節するサイズ変数と、表示されるイメージのポジションを調節するポジション変数を設定する段階と、
前記各ディスプレイデバイスに一つのイメージを表示するためのビデオ信号が入力される段階と、
前記各ディスプレイデバイスが前記各ディスプレイデバイスに入力されるビデオ信号に対応するイメージの一領域を表示するように前記設定されたサイズ変数及びポジション変数に基づいて前記各ディスプレイデバイスに入力されるビデオ信号を制御する段階とを含むことを特徴とするマルチスクリーンディスプレイシステムの制御方法。
【請求項１１】
ビデオ信号源から出力されるビデオ信号を前記各ディスプレイデバイスに印加する段階をさらに含むことを特徴とする、請求項１０に記載のマルチスクリーンディスプレイシステムの制御方法。
【請求項１２】
前記サイズ変数と前記ポジション変数を設定する段階は、
一つのイメージをＮ  Ｍ個のセルに区分して、前記Ｎ  Ｍ個のセルのうちのいずれか一つを選択する段階と、
前記選択されたセルに対応するサイズ変数及びポジション変数を設定する段階とを含むことを特徴とする、請求項１１に記載のマルチスクリーンディスプレイシステムの制御方法。
【発明の詳細な説明】
【技術分野】
【０００１】
本発明は、マルチスクリーンディスプレイシステム及びその制御方法に関し、より詳しくは、製造費が減少し、ディスプレイデバイスの拡張性が容易なマルチスクリーンディスプレイシステム及びその制御方法に関する。
【背景技術】
【０００２】
マルチスクリーンディスプレイシステムは多数のディスプレイデバイスを相互隣接するように配置して一つの大きな画面を形成したものである。つまり、マルチスクリーンディスプレイシステムは一つのイメージを形成するために各ディスプレイデバイスがイメージの一領域ずつをディスプレイして一つのイメージを形成する。このような、マルチスクリーンシステムは例えば、公演場や展示室で大型画面を形成することに用いられる。
【０００３】
図１はこのような従来のマルチスクリーンディスプレイシステム１００の制御ブロック図である。図に示されているように、従来のマルチスクリーンディスプレイシステム１００はビデオ信号を出力するビデオ信号源７００と、複数のディスプレイデバイス２００、３００、４００、５００と、ディスプレイコントローラ６００を含む。
【０００４】
ディスプレイデバイス２００、３００、４００、５００は相互隣接するように配置されて、各ディスプレイデバイス２００、３００、４００、５００が表示するイメージが一つの全体イメージを形成することができるようにする。図１は２  ２に配列された４つのディスプレイデバイス２００、３００、４００、５００を一例として示しており、必要によって１  ２、３  ３などのように多様な配列が用いられている。
【０００５】
ビデオ信号源７００はビデオ信号を出力する例えば、コンピュータであって、一つの全体イメージに対応するビデオ信号をディスプレイコントローラ６００に出力する。
【０００６】
ディスプレイコントローラ６００は各ディスプレイデバイス２００、３００、４００、５００が全体イメージの一部領域を表示することができるように、ビデオ信号源７００から入力されるビデオ信号を一部領域に対応するビデオ信号に分離／変換して各ディスプレイデバイス２００、３００、４００、５００に出力する。例えば、図１に示されているように、２  ２に配列された４つのディスプレイデバイス２００、３００、４００、５００を有するマルチスクリーンディスプレイシステム１００において、各ディスプレイデバイス２００、３００、４００、５００が全体イメージを上下左右に４等分した部分イメージを各々表示する場合、ディスプレイコントローラ６００はビデオ信号源７００から入力されるビデオ信号を時間軸変換して、ビデオ信号源７００から入力されるビデオ信号の垂直走査期間及び水平走査期間の前側半分が上部左側ディスプレイデバイス２００の画面を満たすように制御する。同様に、ビデオ信号源７００から入力されるビデオ信号の水平走査期間の後側半分及び垂直走査期間の前側半分が上部右側ディスプレイデバイス３００のスクリーンを満たすように制御する。下部右側及び下部左側ディスプレイデバイス４００、５００に対しても同様に時間軸変換して下部右側及び下部左側ディスプレイデバイス４００、５００が各々全体イメージの下部右側及び下部左側領域を表示するようにする。
【０００７】
したがって、従来のマルチスクリーンディスプレイシステム１００において、それぞれのディスプレイデバイス２００、３００、４００、５００に入力されるビデオ信号は相互相異している。つまり、従来のマルチスクリーンディスプレイシステム１００ではディスプレイコントローラ６００がビデオ信号源７００から入力される全体イメージに対応するビデオ信号を時間軸変換することによって、各ディスプレイデバイス２００、３００、４００、５００には全体イメージの一部領域に該当するビデオ信号が入力される。
【０００８】
しかし、このような従来のマルチスクリーンディスプレイシステム１００においては、ビデオ信号源７００から出力されるビデオ信号を各ディスプレイデバイス２００、３００、４００、５００が表示する全体イメージのうちの一部領域に対応するビデオ信号に変換して出力するためにその構成が複雑で高価なディスプレイコントローラ６００を使用し、マルチスクリーンディスプレイシステム１００の製造費を増加させる問題点がある。
【０００９】
また、従来のマルチスクリーンディスプレイシステム１００においては、ディスプレイコントローラ６００が支援するディスプレイデバイスの個数が固定される問題点がある。つまり、図１に示されているように、４つのディスプレイデバイス２００、３００、４００、５００が適用されたマルチスクリーンディスプレイシステム１００に例えば、２つのディスプレイデバイスをさらに追加しようとする場合、６個のディスプレイデバイスを支援するディスプレイコントローラ６００に交替したり、追加されたディスプレイデバイスを支援するための別途の拡張カードを設置しなければならない問題点がある。
【発明の開示】
【発明が解決しようとする課題】
【００１０】
したがって、本発明の目的は製造費が減少し、ディスプレイデバイスの拡張性が容易なマルチスクリーンディスプレイシステム及びその制御方法を提供することにある。
【課題を解決するための手段】
【００１１】
前記目的は、本発明によって、それぞれの画面に表示されるイメージが一つの統合されたイメージを形成するように相互隣接するように配置される複数のディスプレイデバイスを含み、前記各ディスプレイデバイスは入力されるビデオ信号に対応するイメージのサイズ及びポジションを調節してイメージの少なくとも一領域を表示することを特徴とするマルチスクリーンディスプレイシステムによって達成される。
【００１２】
ここで、一つのイメージに対応するビデオ信号を受信して前記各ディスプレイデバイスに出力する信号分配器をさらに含むことができる。
【００１３】
ここで、前記各ディスプレイデバイスは、イメージが表示されるディスプレイ部と、前記信号分配器から入力されるビデオ信号を前記ディスプレイ部が処理可能なビデオ信号に変換する信号処理部と、前記信号処理部が前記信号分配器から入力されるビデオ信号を予め設定されたサイズ変数及びポジション変数に基づいて変換するように制御する制御部とを含むことができる。
【００１４】
そして、前記ディスプレイデバイスはＤＬＰ（デジタル光処理）、ＬＣＤ（液晶表示）及びＰＤＰ（プラズマ表示パネル）のうちのいずれか一つを含むのが好ましい。
【００１５】
そして、前記信号分配器にビデオ信号を印加するコンピュータをさらに含むのが好ましい。
【００１６】
ここで、前記コンピュータは前記各ディスプレイデバイスに表示されるイメージのサイズを調節するサイズ変数と、前記各ディスプレイデバイスに表示されるイメージのポジションを調節するポジション変数を設定可能に備えられるのが好ましい。
【００１７】
そして、前記コンピュータはＲＳ−２３２Ｃインターフェースまたは前記ＲＳ−４２２インターフェースを通じて前記各ディスプレイデバイスのサイズ変数及びポジション変数を設定するのが好ましい。
【００１８】
また、前記各ディスプレイデバイスは前記各ディスプレイデバイスに表示されるイメージのサイズを調節するサイズ変数と、前記各ディスプレイデバイスに表示されるイメージのポジションを調節するポジション変数を設定するためのＯＳＤインターフェースを提供するＯＳＤ発生部を含むことができる。
【００１９】
ここで、前記ＯＳＤインターフェースは一つのイメージをＮ  Ｍ個のセルに区分して、前記Ｎ  Ｍ個のセルのうちのいずれか一つを選択して前記各ディスプレイデバイスのサイズ変数及びポジション変数を設定し、前記各ディスプレイデバイスは前記信号分配器から入力されるビデオ信号に対応するイメージのうちの前記ＯＳＤインターフェースを通じて選択されたセルに対応する領域を表示するのが好ましい。
【００２０】
一方、前記目的は本発明の他の分野によって、それぞれの画面に表示されるイメージが一つの統合されたイメージを形成するように相互隣接するように配置される複数のディスプレイデバイスを含むマルチスクリーンディスプレイシステムの制御方法において、前記各ディスプレイデバイスの表示されるイメージのサイズを調節するサイズ変数と、表示されるイメージのポジションを調節するポジション変数を設定する段階と、前記各ディスプレイデバイスに一つのイメージを表示するためのビデオ信号が入力される段階と、前記各ディスプレイデバイスが前記各ディスプレイデバイスに入力されるビデオ信号に対応するイメージの一領域を表示するように前記設定されたサイズ変数及びポジション変数に基づいて前記各ディスプレイデバイスに入力されるビデオ信号を制御する段階とを含むことを特徴とするマルチスクリーンディスプレイシステムの制御方法によっても達成できる。
【００２１】
ここで、ビデオ信号源から出力されるビデオ信号を前記各ディスプレイデバイスに印加する段階をさらに含むことができる。
【００２２】
そして、前記サイズ変数と前記ポジション変数を設定する段階は、一つのイメージをＮ  Ｍ個のセルに区分して、前記Ｎ  Ｍ個のセルのうちのいずれか一つを選択する段階と、前記選択されたセルに対応するサイズ変数及びポジション変数を設定する段階とを含むことを好ましい。
【発明の効果】
【００２３】
本発明によると、製造費が減少し、ディスプレイデバイスの拡張性が容易なマルチスクリーンディスプレイシステム及びその制御方法が提供される。
【発明を実施するための最良の形態】
【００２４】
以下、添付図面を参照して本発明について詳細に説明する。
【００２５】
本発明によるマルチスクリーンディスプレイシステム１は、図２に示されているように、複数のディスプレイデバイス２、３、４、５と、信号分配器６とを含む。
【００２６】
信号分配器６はビデオ信号源７から入力される一つのイメージ（以下、“全体イメージ”という）に対応するビデオ信号を受信し、各ディスプレイデバイス２、３、４、５に全体イメージに対応するビデオ信号を出力する。つまり、本発明による信号分配器６から各ディスプレイデバイス２、３、４、５に出力されるビデオ信号は全て全体イメージを表示できるビデオ信号であるという点で相互同一である。
【００２７】
各ディスプレイデバイス２、３、４、５はそれぞれの画面に表示されるイメージが一つの統合されたイメージを形成するように相互隣接するように配置される。本発明の実施例では図２に示されているように、２  ２に配列された４つのディスプレイデバイス２、３、４、５を有するマルチスクリーンディスプレイシステム１を一例として説明し、本発明の理解を助けるために、上部左側ディスプレイデバイス２から時計周り方向に各々第１ディスプレイデバイス２、第２ディスプレイデバイス３、第３ディスプレイデバイス４及び第４ディスプレイデバイス５と定義して説明する。また、本発明の実施例では各ディスプレイデバイス２、３、４、５が全体イメージを上下左右に４等分して全体イメージの一領域ずつを表示することを一例として説明する。ここで、４等分された全体イメージの上部左側領域から時計周り方向に第１領域Ａ１、第２領域Ａ２、第３領域Ａ３、第４領域Ａ４と各々定義して説明する。
【００２８】
各ディスプレイデバイス２、３、４、５は全体イメージのサイズ及びポジションを調節して全体イメージの第１領域Ａ１、第２領域Ａ２、第３領域Ａ３及び第４領域Ａ４を各々表示する。各ディスプレイデバイス２、３、４、５は画面に表示されるイメージのサイズを調節するためのサイズ変数と、画面に表示されるイメージのポジションを調節するためのポジション変数を予め設定されたサイズ変数及びポジション変数に調節して全体イメージの一部領域を表示する。図３を参照して説明すると、第１ディスプレイデバイス２に入力されるビデオ信号は全体イメージである“Ａ”を表示するためのものであり、第１ディスプレイデバイス２は全体イメージのサイズを横及び縦に各々２倍に増加させ、全体イメージの上部左側角部領域が第１ディスプレイデバイス２の画面の上部左側角部領域に合わせられるようにポジションを調節することによって、第１ディスプレイデバイス２の画面に全体イメージの第１領域Ａ１のみが表示されるようにする。同様に、第２ディスプレイデバイス３、第３ディスプレイデバイス４及び第４ディスプレイデバイス５も、前記の方法によって各々全体イメージの第２領域Ａ２、第３領域Ａ３及び第４領域Ａ４のみが画面に表示されるようにすることによって、各ディスプレイデバイス２、３、４、５の画面に表示されるイメージの組み合わせが全体イメージを形成するようにする。
【００２９】
図４は本発明によるディスプレイデバイス２、３、４、５の好ましい実施例による具体的な制御ブロック図である。図示されているように、本発明によるディスプレイデバイス２、３、４、５はディスプレイ部１０、信号処理部２０及び制御部３０を含む。
【００３０】
ディスプレイ部１０は信号処理部２０からビデオ信号を受信してイメージを表示する。ディスプレイ部１０はイメージが表示されるディスプレイパネル１２と、信号処理部２０から入力されるビデオ信号を処理してディスプレイパネル１２にイメージを表示するパネル駆動部１１とを含む。本発明によるディスプレイ部１０はＤＬＰ、ＬＣＤ、ＰＤＰなどのようにサイズ及びポジションの調節が可能な多様な類型のディスプレイが適用可能である。ここで、ディスプレイ部１０がＤＬＰである場合、パネル駆動部１１は光学エンジンを含むなど、各ディスプレイの類型によって対応するディスプレイ部１０及びパネル駆動部１１の構成を有することができるのはもちろんである。
【００３１】
信号処理部２０は信号分配器６から入力されるビデオ信号をディスプレイ部１０が処理可能なビデオ信号に変換する。本発明による信号処理部２０は制御部３０によって制御されてビデオ信号のサイズ変数及びポジション変数を調節するスケーラ２１と、信号分配器６から入力されるビデオ信号をスケーラ２１が処理可能なビデオ信号に変換する信号変換部２３とを含むことができる。
【００３２】
信号変換部２３はビデオデコーダー２４、Ａ/Ｄコンバータ２５及びＴＭＤＳ（Transition  Minimized  Differential  Signaling）受信部２６のうちの少なくともいずれか一つを含むことができる。
【００３３】
ビデオデコーダー２４はアナログ接続端子から入力される例えば、ＣＶＢＳ（複号映像放送信号）やＳ−ビデオ信号などのアナログ信号をディコーディングしてスケーラ２１に出力する。ここで、ディスプレイデバイス２、３、４、５はＣＶＢＳ及びＳ−ビデオ信号が入力されるＣＶＢＳ接続端子２７ａ及びＳ−ビデオ接続端子２７ｂを含む。
【００３４】
Ａ/Ｄコンバータ２５はコンポーネント接続端子２７ｃやＰＣ接続端子２７ｄから入力されるコンポーネント信号やＰＣビデオ信号などのアナログビデオ信号をデジタルビデオ信号に変換してスケーラ２１に出力する。
【００３５】
ＴＭＤＳ受信部２６はＤＶＩ（デジタルビジュアルインターフェース）接続端子２７ｅなどのようなデジタル接続端子から入力されるＤＶＩビデオ信号などのデジタルビデオ信号をＲＧＢデジタル信号とＨ/Ｖ同期信号とに分離する。
【００３６】
一方、本発明によるディスプレイデバイス２、３、４、５は各ディスプレイデバイス２、３、４、５に表示されるイメージのサイズを調節するサイズ変数と、イメージのポジションを調節するポジション変数を設定するためのＯＳＤ（オンスクリーンディスプレイ）インターフェースを提供するＯＳＤ発生部４０をさらに含むことができる。使用者はＯＳＤインターフェースを通じてサイズ変数及びポジション変数を調節することによって、各ディスプレイデバイス２、３、４、５に全体イメージの一部領域が表示されるように設定することができる。これにより、ディスプレイデバイス２、３、４、５の配置が変わってもＯＳＤインターフェースを通じてサイズ変数及びポジション変数を調節することによって、各ディスプレイデバイス２、３、４、５に表示される全体イメージの一部領域が統合されて全体イメージを形成することができるようになる。
【００３７】
また、本発明によるＯＳＤインターフェースは全体イメージの各領域に対応するセルのうちのいずれか一つを選択することによって、サイズ変数及びポジション変数を設定するように備えられるのが好ましい。例えば、ＯＳＤインターフェースは全体イメージの各領域に対応する数字、例えば、１、２、３、４のうちのいずれか一つを選択できるインターフェースを提供し、使用者は第１ディスプレイデバイス２を１と選択し、第２ディスプレイデバイス３、第３ディスプレイデバイス４及び第４ディスプレイデバイス５を各々２、３、４と選択することによって、第１ディスプレイデバイス２、第２ディスプレイデバイス３、第３ディスプレイデバイス４及び第４ディスプレイデバイス５が各々全体イメージの第１領域Ａ１、第２領域Ａ２、第３領域Ａ３及び第４領域Ａ４を各々表示するようにすることができる。
【００３８】
使用者は使用者入力部５０を通じて各ディスプレイデバイス２、３、４、５が表示する全体イメージの一領域を選択する。使用者入力部５０はマルチスクリーンディスプレイシステム１のいずれか一側に備えられたＯＳＤ制御ボタンであるか、リモコンであることができる。ここで、使用者入力部５０を通じて設定されたセルに対応するポジション変数及びサイズ変数はＥＥＰＲＯＭ（図示せず）などの非揮発性メモリに保存する。
【００３９】
一方、本発明によるマルチスクリーンディスプレイシステム１は信号分配器６に全体イメージに対応するビデオ信号を出力するビデオ信号源７をさらに含む。本発明によるビデオ信号源７はビデオ信号を出力するＶＴＲやＤＶＤプレーヤーなどの映像機器を含み、本発明の好ましい実施例によるビデオ信号源７はビデオ信号を出力するコンピュータであることを一例とする。
【００４０】
また、本発明によるビデオ信号源７がコンピュータである場合、コンピュータはディスプレイデバイス２、３、４、５のサイズ変数及びポジション変数を設定することができるように備えられるのが好ましい。コンピュータはＲＳ−２３２ＣインターフェースやＲＳ−４２２インターフェースのように各ディスプレイデバイス２、３、４、５にサイズ変数及びポジション変数を設定するための制御命令を印加するためのインターフェースに相互連結される。ここで、コンピュータを通じてサイズ変数及びポジション変数を設定する方法及びインターフェースは前述のＯＳＤインターフェース及びＯＳＤ発生部４０が提供する方法及びインターフェースと同一に備えられることができる。
【００４１】
前述の実施例では本発明によるマルチスクリーンディスプレイシステム１が２  ２に配列された４つのディスプレイデバイス２、３、４、５を含むことを一例として説明したが、図５に示されているように、各ディスプレイデバイスが表示されるイメージのサイズ及びポジションを調節することができる範囲内であればＮ  Ｍに配列されたＮ  Ｍ個のディスプレイデバイスを含むことができることはもちろんである。
【００４２】
また、前述の実施例では各ディスプレイデバイス２、３、４、５が全体イメージの第１領域Ａ１、第２領域Ａ２、第３領域Ａ３及び第４領域Ａ４を各々ディスプレイして、マルチスクリーンディスプレイシステム１が全体イメージである“Ａ”を表示することを一例として説明したが、ＯＳＤインターフェースを通じて各ディスプレイデバイス２、３、４、５のサイズ変数及びポジション変数を調節する場合、マルチスクリーンディスプレイシステム１が多様なフォーマットの統合されたイメージを形成できることはもちろんである。
【００４３】
このように、各ディスプレイデバイス２、３、４、５が入力されるビデオ信号に対応するイメージのサイズ及びポジションを調節して全体イメージの少なくとも一領域を表示するように備えて、各ディスプレイデバイス２、３、４、５に全体イメージの一領域に対応するビデオ信号を出力するための別途のディスプレイコントローラを除去することによって、製造費を減少させることができるようになる。
【００４４】
また、各ディスプレイデバイス２、３、４、５が表示されるイメージのサイズ及びポジションを調節できる範囲内であれば、別途の拡張カードの設置やディスプレイコントローラなどの変更無しにディスプレイデバイス２、３、４、５の個数を増やしたり減らすことができる。
【図面の簡単な説明】
【００４５】
【図１】従来のマルチスクリーンディスプレイシステムの制御ブロック図である。
【図２】本発明によるマルチスクリーンディスプレイシステムの制御ブロック図である。
【図３】図２のマルチスクリーンディスプレイシステムの第１ディスプレイデバイスに表示されるイメージの表示方法を説明するための図である。
【図４】図２のマルチスクリーンディスプレイシステムの各ディスプレイデバイスの制御ブロック図である。
【図５】複数のディスプレイデバイスを有するマルチスクリーンディスプレイシステムの構成を示した図である。
【符号の説明】
【００４６】
１    マルチスクリーンディスプレイシステム
２、３、４、５  ディスプレイデバイス
６    信号分配器
７    ビデオ信号源
１０  ディスプレイ部
１１  パネル駆動部
１２  ディスプレイパネル
２０  信号処理部
２１  スケーラ
２３  信号変換部
２４  ビデオデコーダー
２５  Ａ/Ｄコンバータ
２６  ＴＭＤＳ受信部
２７ａ、２７ｂ、２７ｃ、２７ｄ、２７ｅ  接続端子
３０  制御部
４０  ＯＳＤ発生部
５０  使用者入力部
【図１】
2005078069.tif 000003
【図２】
2005078069.tif 000004
【図３】
2005078069.tif 000005
【図４】
2005078069.tif 000006
【図５】
2005078069.tif 000007